(57)【要約】【課題】近傍の地域で視聴可能な番組のうちのユーザに有益な番組をこのユーザの携帯端末で受信設定する。【解決手段】携帯端末２００は、通常のテレビ放送局からの広域放送を受信できるとともに、店舗４００で商品を購入したときの決済のための支払処理端末３００との近距離無線通信により、受信可能領域６００で受信可能な放送設備５００からの地域限定放送を受信可能にする地域限定放送チャンネル設定情報を取得し、かかる地域限定放送の受信が可能となる。ここで、かかる設定情報は、地域限定放送の番組毎に生成されたものであって、ユーザの性別や年齢，商品など情報が設定されており、かかる情報とユーザの個人情報，購入商品とを比較することにより、この地域限定放送チャンネル設定情報に該当する番組がこのユーザに有益か否か判定され、設定される有益値が高い番組が優先して携帯端末２００で受信され、表示される。【選択図】図１
2011234109.tif 000002
【特許請求の範囲】
【請求項１】
放送チャンネル設定情報送出装置と携帯端末とを有する放送チャンネル設定システムであって、
該放送チャンネル設定情報送出装置は、
該放送チャンネル設定情報送出装置が属する地域内で受信可能な全て或いは一部の放送チャンネル夫々毎に、該放送チャンネルに関する情報と該放送チャンネルで送信されている番組に関する情報とを有する放送チャンネル設定情報を生成する放送チャンネル設定情報生成部と、
該携帯端末と無線通信を行ない、該放送チャンネル設定情報を該携帯端末に送信する通信部と
を備え、
該携帯端末は、
該放送チャンネル設定情報送出装置との間で通信を行ない、該放送チャンネル設定情報送出装置から送出される該放送チャンネル設定情報を受信する短距離無線通信部と、
該短距離無線通信部から該放送チャンネル設定情報を受信したとき、それを解析して該携帯端末の所有者に有益な番組の放送チャンネル設定情報であるか否かを判定する有益番組判定部と、
受信した該放送チャンネル設定情報が、該有益番組判定部の判定により、有益な番組の放送チャンネル設定情報である場合には、該放送チャンネル設定情報の放送チャンネルを受信チャンネルとして設定され、該放送チャンネルの番組を受信する放送受信部と、
該放送受信部で受信されたチャンネルの番組を表示する表示部と
を備えたことを特徴とする放送チャンネル設定システム。
【請求項２】
請求項１において、
受信可能なテレビ放送チャンネルの受信チャンネル設定情報と、前記有益番組判定部で有益と判定された番組の前記放送チャンネル設定情報とを登録する記憶部を備え、
該記憶部に登録されている該受信チャンネル設定情報と該放送チャンネル設定情報とのいずれか１つの設定情報を選択して、前記放送受信部にそのチャンネル周波数を受信周波数として設定することにより、選択された設定情報に該当する番組の受信を可能とすることを特徴とする放送チャンネル設定システム。
【請求項３】
請求項２において、
前記有益番組判定部は、その判定結果をもとに、前記放送チャンネル設定情報に前記放送チャンネル設定情報に該当する番組の判定結果の有効条件を設定することができ、
前記記憶部では、前記放送チャンネル設定情報を、該有効条件が成立している期間、登録している
ことを特徴とする放送チャンネル設定システム。
【請求項４】
該放送チャンネル設定情報送出装置が属する地域内で受信可能な全て或いは一部の放送チャンネル夫々毎に、該放送チャンネルに関する情報と該放送チャンネルで送信されている番組に関する情報とを有する放送チャンネル設定情報を生成する放送チャンネル設定情報生成部と、
該携帯端末と無線通信を行ない、該放送チャンネル設定情報を送信する通信部と
を備えたことを特徴とする放送チャンネル設定情報送出装置。
【請求項５】
短距離の無線通信を行なう短距離無線通信部と、
該短距離無線通信部により放送チャンネル設定情報を受信したとき、それを解析して、該放送チャンネル設定情報に該当する番組が有益な番組であるか否かを判定する有益番組判定部と、
該放送チャンネル設定情報に該当する番組が該有益番組判定部で有益な番組と判定された場合には、該有益な番組のチャンネルの受信周波数が設定されて、該有益な番組を受信する放送受信部と、
該放送受信部で受信されたチャンネルの番組を表示する表示部と
を備えたことを特徴とする携帯端末。
【請求項６】
請求項５において、
前記放送受信部は、テレビ放送のチャンネルの受信も可能であって、
受信可能なテレビ放送チャンネルの受信チャンネル設定情報と、前記有益番組判定部で有益と判定された番組の前記放送チャンネル設定情報とを登録する記憶部を備え、
該記憶部に登録されている該受信チャンネル設定情報と該放送チャンネル設定情報とのいずれか１つの設定情報を選択して、前記放送受信部にそのチャンネル周波数を受信周波数として設定することにより、選択された設定情報に該当する番組の受信を可能とすることを特徴とする携帯端末。
【請求項７】
請求項６において、
前記有益番組判定部は、その判定結果をもとに、前記放送チャンネル設定情報に前記放送チャンネル設定情報に該当する番組の判定結果の有効条件を設定することができ、
前記記憶部では、前記放送チャンネル設定情報を、該有効条件が成立している期間、登録している
ことを特徴とする携帯端末。
【発明の詳細な説明】
【技術分野】
【０００１】
本発明は、地域限定放送サービスの受信を誘導する放送チャンネル設定システム及びこれに用いる放送チャンネル設定情報送出装置，携帯端末に関する。
【背景技術】
【０００２】
地上デジタル放送サービスが普及し、携帯端末向けサービスであるワンセグ（地上デジタル放送で送出される１３セグメントのデータのうちの１セグメントを使用した移動体向け放送サービス）及びそれに対応した携帯端末の普及も進んでいる。ワンセグについては、送出電波の電力が小さい小規模な中継器を利用した狭い地域限定の放送サービスも検討が進められている。このような狭い地域限定の放送サービスを実施する場合、そのチャンネルを受信して貰うため、そのチャンネルに視聴者を誘導する仕組みが重要となる。
【０００３】
これに関しては、携帯端末に搭載された非接触ＩＣカード機能を利用して、番組情報や番組を受信するための設定情報を携帯端末に送信して番組情報を表示させ、携帯端末所有者に番組を選択させて番組の受信を開始させるようにした技術が提案されている（例えば、特許文献１参照）。
【先行技術文献】
【特許文献】
【０００４】
【特許文献１】特開２００９−０７７１４７号公報
【発明の概要】
【発明が解決しようとする課題】
【０００５】
しかしながら、上述のような従来のシステムでは、携帯端末の所有者が積極的に携帯端末を操作して番組を受信しなければならないので、この所有者にとって手間が掛かるものである。地域限定番組に興味の薄い所有者には、わざわざ手間を掛けてまで受信のための操作を行なって貰えないので、視聴して貰う機会を減少させてしまう。
【０００６】
本発明は、かかる事情を考慮してなされたものであって、その目的は、携帯端末に搭載された非接触ＩＣカード機能を使用したときに、近傍の地域で視聴可能な地域限定チャンネルを受信するための受信設定情報及びそれらのチャンネルで放送している番組の情報も同時に受信し、所有者に有益と思われる番組を判別し、その番組を放送しているチャンネルを携帯端末に視聴チャンネルとして設定する放送チャンネル設定システム及びこれに用いる放送チャンネル設定情報送出装置，携帯端末を提供することにある。
【課題を解決するための手段】
【０００７】
上記目的を達成するために、本発明は、放送チャンネル設定情報送出装置と携帯端末とを有する放送チャンネル設定システムであって、放送チャンネル設定情報送出装置は、放送チャンネル設定情報送出装置が属する地域内で受信可能な全て或いは一部の放送チャンネル夫々毎に、放送チャンネルに関する情報と放送チャンネルで送信されている番組に関する情報とを有する放送チャンネル設定情報を生成する放送チャンネル設定情報生成部と、携帯端末と無線通信を行ない、放送チャンネル設定情報を携帯端末に送信する通信部とを備え、携帯端末は、放送チャンネル設定情報送出装置との間で通信を行ない、放送チャンネル設定情報送出装置から送出される放送チャンネル設定情報を受信する短距離無線通信部と、短距離無線通信部から放送チャンネル設定情報を受信したとき、それを解析して携帯端末の所有者に有益な番組の放送チャンネル設定情報であるか否かを判定する有益番組判定部と、受信した放送チャンネル設定情報が、有益番組判定部の判定により、有益な番組の放送チャンネル設定情報である場合には、放送チャンネル設定情報の放送チャンネルを受信チャンネルとして設定され、放送チャンネルの番組を受信する放送受信部と、放送受信部で受信されたチャンネルの番組を表示する表示部とを備えたことを特徴とするものである。  また、受信可能なテレビ放送チャンネルの受信チャンネル設定情報と、有益番組判定部で有益と判定された番組の放送チャンネル設定情報とを登録する記憶部を備え、記憶部に登録されている受信チャンネル設定情報と放送チャンネル設定情報とのいずれか１つの設定情報を選択して、放送受信部にそのチャンネル周波数を受信周波数として設定することにより、選択された設定情報に該当する番組の受信を可能とすることを特徴とするものである。
【０００８】
さらに、有益番組判定部は、その判定結果をもとに、放送チャンネル設定情報に放送チャンネル設定情報に該当する番組の判定結果の有効条件を設定することができ、記憶部では、放送チャンネル設定情報を、有効条件が成立している期間、登録していることを特徴とするものである。
【０００９】
上記目的を達成するために、本発明による放送チャンネル設定情報送出装置は、放送チャンネル設定情報送出装置が属する地域内で受信可能な全て或いは一部の放送チャンネル夫々毎に、放送チャンネルに関する情報と放送チャンネルで送信されている番組に関する情報とを有する放送チャンネル設定情報を生成する放送チャンネル設定情報生成部と、携帯端末と無線通信を行ない、放送チャンネル設定情報を送信する通信部とを備えたことを特徴とするものである。
【００１０】
上記目的を達成するために、本発明による携帯端末は、短距離の無線通信を行なう短距離無線通信部と、短距離無線通信部により放送チャンネル設定情報を受信したとき、それを解析して、放送チャンネル設定情報に該当する番組が有益な番組であるか否かを判定する有益番組判定部と、放送チャンネル設定情報に該当する番組が有益番組判定部で有益な番組と判定された場合には、有益な番組のチャンネルの受信周波数が設定されて、有益な番組を受信する放送受信部と、放送受信部で受信されたチャンネルの番組を表示する表示部とを備えたことを特徴とするものである。
【００１１】
また、放送受信部は、テレビ放送のチャンネルの受信も可能であって、受信可能なテレビ放送チャンネルの受信チャンネル設定情報と、有益番組判定部で有益と判定された番組の放送チャンネル設定情報とを登録する記憶部を備え、記憶部に登録されている受信チャンネル設定情報と放送チャンネル設定情報とのいずれか１つの設定情報を選択して、放送受信部にそのチャンネル周波数を受信周波数として設定することにより、選択された設定情報に該当する番組の受信を可能とすることを特徴とするものである。
【００１２】
さらに、有益番組判定部は、その判定結果をもとに、放送チャンネル設定情報に放送チャンネル設定情報に該当する番組の判定結果の有効条件を設定することができ、記憶部では、放送チャンネル設定情報を、有効条件が成立している期間、登録していることを特徴とするものである。
【発明の効果】
【００１３】
本発明によると、ユーザに意識させずに、近傍の地域で視聴可能な番組のうちからユーザに有益な番組を受信するように、携帯端末へ設定することができる。
【図面の簡単な説明】
【００１４】
【図１】図１は本発明による放送チャンネル設定システム及びこれに用いる放送チャンネル設定情報送出装置，携帯端末の第１の実施形態を用いた地域限定放送サービスシステムを示すシステム図である。
【図２】図２は図１における携帯端末の一具体例を示すブロック構成図である。
【図３】図３は図１における支払処理端末の一具体例を示すブロック構成図である。
【図４】図４は放送チャンネル設定情報の一具体例を示す図である。
【図５】図５はユーザが店舗で商品を購入し、携帯端末で決済を行なうときの携帯端末の処理動作の一具体例を示すフローチャートである。
【図６】図１での携帯端末での有益番組判定の処理の一具体例を示すフローチャートである。
【図７】図１での支払処理端末が決済処理を行なうときの一動作例を示すフローチャートである。
【図８】本発明による放送チャンネル設定システム及びこれに用いる放送チャンネル設定情報送出装置，携帯端末の第２の実施形態を用いた地域限定放送サービスシステムを示すシステム図である。
【図９】図８における改札機の一具体例を示すブロック構成図である。
【図１０】図９における放送チャンネル設定情報の一具体例を示す図である。
【図１１】図８における携帯端末の電子乗車券の機能の動作の一具体例を示すフローチャートである。
【図１２】図１１における有益駅構内番組判定（Ｓ１１０２）の処理の一具体例を示すフローチャートである。
【図１３】図８において、ユーザが駅構内に入場する際の改札機の動作の一具体例を示すフローチャートである。
【図１４】図８において、ユーザが駅構内から退場する際の改札機の動作の一具体例を示すフローチャートである。
【発明を実施するための形態】
【００１５】
以下、本発明の実施形態を図面を用いて説明する。
【００１６】
（第１の実施形態）
図１は本発明による放送チャンネル設定システム及びこれに用いる放送チャンネル設定情報送出装置，携帯端末の第１の実施形態を用いた地域限定放送サービスシステムを示すシステム図であって、１００は放送チャンネル設定システム、２００は携帯端末、３００は支払処理端末、４００は店舗、５００は放送設備、６００は受信可能領域、７００はインターネット、８００は決済処理サーバである。
【００１７】
同図において、放送設備５００は、受信できる受信可能領域６００が決まっている地域限定放送を送信する。ユーザが携帯して使用する携帯端末２００は、放送受信機能を備えており、受信可能領域６００内で使用されるとき、通常のテレビ放送の広域放送を受信することができるとともに、放送設備５００からのこの地域限定放送を受信することができる。この地域限定放送は、テレビ番組などの１以上の放送チャンネルからなるものである。
【００１８】
この受信可能領域６００内には、種々の店舗が存在するが、かかる店舗を代表して店舗４００とすると、店舗４００には、支払処理端末３００が設けられている。この支払処理端末３００は、決済処理機能を備えており、ユーザがこの店舗４００で希望する商品を購入したときには、その決済を携帯端末２００を用いて行なうことができる。支払処理端末３００は、例えば、１０ｃｍ以内の短距離通信が可能であり、また、携帯端末２００は非接触ＩＣカード機能も有し、これにより、支払処理端末３００との間で短距離通信が可能である。携帯端末２００を用いてこの決済をする場合には、携帯端末２００を、支払処理端末３００がこの短距離通信を可能な所定の範囲内となるように、この支払処理端末３００に近づけることにより（以下、これを、携帯端末２００を支払処理端末３００に近接するという）、これら間で決済処理に必要な情報を送受信する短距離無線通信が行なわれる。この支払処理端末３００は、インターネット７００を介して決済処理サーバ８００に接続されており、この決済処理サーバ８００に決済に必要な情報を送信することにより、ユーザが購入した商品の決済が行なわれる。
【００１９】
また、支払処理端末３００とこれに近接して短距離無線通信がなされる携帯端末２００とは、放送チャンネル設定システム１００を形成する。支払処理端末３００は、それが存在する受信可能領域６００での放送設備５００が送信する地域限定放送の番組やチャンネルに関する情報（以下、放送チャンネル設定情報）を生成して保持しており、上記の決済処理が終了すると、携帯端末２００にこれを使用するユーザに有益な地域限定放送の番組の放送チャンネル設定情報を送信する。即ち、支払処理端末３００は、放送チャンネル設定情報送出装置としても動作する。
【００２０】
これにより、この放送チャンネル設定情報を取得した携帯端末２００は、いずれかの放送チャンネル設定情報、例えば、このユーザにとって最も有益な放送番組の放送チャンネル設定情報を用いて、放送設備５００から放送されるこの地域限定放送の放送番組を受信して表示する。従って、ユーザは、携帯端末２００で操作をすることなく、この地域限定放送の番組を視聴することができる。
【００２１】
このように、この第１の実施形態では、ユーザが店舗４００で希望する商品を購入し、携帯端末２００をこの店舗４００に設置されている支払処理端末３００に近接させるだけで、この商品の決済とともに、放送設備５００から受信可能領域６００に地域限定されて放送されるこのユーザに有益な放送番組を受信し、ユーザが視聴できるようにする。
【００２２】
なお、ユーザに有益な地域限定放送の番組が複数ある場合には、これら全ての放送番組の放送チャンネル設定情報が支払処理端末３００から携帯端末２００に送信される。携帯端末２００では、これら送信された放送チャンネル設定情報が全て受信され、この携帯端末２００のユーザにとって有益な番組の放送チャンネル設定情報が保持され、そのうちのこの携帯端末２００のユーザに最も有益な放送番組が設定・受信されて視聴できるようにするが、携帯端末２００でこれ以外の保持されている放送チャンネル設定情報を選択操作することにより、このユーザにとって有益な他の放送番組も視聴できる状態とすることもできる。
【００２３】
また、携帯端末２００では、チャンネル操作をすることにより、放送設備５００からの地域限定放送の放送番組を受信することができるが、店舗４００で希望する商品を購入した場合には、その決済に放送チャンネル設定システム１００を活用することにより、携帯端末２００でチャンネル操作をすることなく、かかる地域限定放送のユーザにとって有益な放送番組を視聴することが可能となる。
【００２４】
図２は図１における携帯端末２００の一具体例を示すブロック構成図であって、２１０は制御部、２１１はＣＰＵ(Central Processing Unit)、２１２はＲＯＭ(Read Only Memory)、２１３は制御プログラム、２１４は入力制御プログラム、２１５は端末ＩＤ(IDentification)、２１６はＲＡＭ(Random Access Memory)、２１７はFlash ＲＯＭ、２１８はユーザ情報、２１９は購買履歴、２２０はＬＣＤ(Liquid Crystal Display)、２３０はタッチパッド、２４０は放送受信部、２５０は短距離無線通信部、２６０は支払処理プログラム、２７０は受信可能チャンネルである。
【００２５】
同図において、携帯端末２００は、制御部２１０と、これによって制御されるＬＣＤ２２０，タッチパネル２３０，放送受信部２４０，短距離無線通信部２５０とから構成されている。
【００２６】
制御部２１０は、ＣＰＵ２１１とＲＯＭ２１２とＲＡＭ２１６とFlash ＲＯＭ２１７とを備えている。ＲＯＭ２１２には、入力制御プログラム２１４や支払制御プログラム２６０といったＣＰＵ２１１が実行する制御プログラム２１３とこの携帯端末２００に割り当てられた端末ＩＤ２１５とが格納されている。この端末ＩＤ２１５は、例えば、電話番号やメールアドレスなどのこの携帯端末２００を識別するために用いられる端末固有の符号である。ＲＡＭ２１６は、ＣＰＵ２１１が制御プログラム２１３を実行する際のワークエリアとして利用されたり、ユーザの操作によって入力された情報を一時格納したりする揮発性記憶領域である。Flash ＲＯＭ２１７は、ユーザの氏名や年齢，性別，住所などの個人を特定するユーザ情報２１８や、携帯端末２００の上記決済機能を使用して商品の購入をしたときの購入した商品の商品名や価格などの商品情報，購入日時などの情報である購買履歴２１９などを格納する不揮発性のメモリである。
【００２７】
ＬＣＤ２２０は、受信番組などの画面表示やユーザからの入力情報の表示を行なう表示部である。タッチパッド２３０は、例えば、透明な材料などで構成されてＬＣＤ２２０に重ねて実装され、ユーザが文字や命令を入力するためのタッチ操作に使用されるものである。
【００２８】
制御プログラム２１３の入力制御プログラム２１４は、タッチパッド２３０をユーザがタッチ操作することによる入力を受け付けることができるように、ＣＰＵ２１１によって実行される。具体的には、タッチパッド２３０はＬＣＤ２２０の表示画面に取り付けられていて、定期的にその表面がスキャンされることにより、このタッチパッド２３０でのユーザが触れた位置の座標を取得し、その座標をＣＰＵ２１１に通知することにより、ユーザのタッチ操作による情報の入力が検出される。なお、ＬＣＤ２２０は表示部の一例であり、表示部としては、有機ＥＬディスプレイなどの他の表示手段を用いてもよい。また、タッチパッド２３０も入力部の一例であり、入力部としては、キー入力や音声入力などを行なう他の入力手段を用いてもよい。
【００２９】
放送受信部２４０は、受信するチャンネルが設定されると、この設定されたチャンネルの放送番組を受信するものであって、受信されたチャンネルの番組がＬＣＤ２２０に供給されて表示される。
【００３０】
なお、放送受信部２４０は、例えば、携帯端末２００の初期設定などで、通常のテレビ局などからの広域放送の受信可能なチャンネルをスキャンし、受信可能チャンネル２７０としてFlash ＲＯＭ２１７に登録しておく。この登録には、この広域放送チャンネルに関する情報（例えば、放送局名や受信周波数など）の記憶が行なわれる。以下では、かかる広域放送チャンネルに関する情報を広域放送チャンネル設定情報という。ユーザがＬＣＤ２２０のタッチパッド２１１をタッチ操作するなどして広域放送チャンネルの受信操作をすると、Flash ＲＯＭ２１７に登録されているこの受信可能チャンネル２７０からこの広域放送チャンネルの受信チャンネルが選択されて放送受信部２４０に設定され、これにより、放送受信部２４０はこの設定された受信チャンネルのテレビ番組が受信されてＬＣＤ２２０で表示させる。従って、ユーザは、放送テレビ番組を視聴する際、受信可能なチャンネルをスキャンする手間を省くことができる。
【００３１】
また、このFlash ＲＯＭ２１７には、支払処理端末３００からのユーザにとって有益な番組の放送チャンネル設定情報も、受信可能チャンネル２７０の情報として格納される。
【００３２】
短距離無線通信部２５０は、非接触ＩＣカードが用いられるものであって、例えば、１０ｃｍ以内などの所定範囲内の支払処理端末３００（図１）とで上記の短距離通信を行ない、決済処理に必要な情報の支払処理端末３００への送信や支払処理端末３００からの放送チャンネル設定情報の受信などを行なう。
【００３３】
なお、以下では、上記の広域放送に対して、それに関する情報を「広域放送チャンネル」というのに対し、地域限定放送に対する放送チャンネル設定情報を「地域限定放送チャンネル情報」ということにし、かつこれらを総称する場合、「放送チャンネル設定情報」ということにする。
【００３４】
支払処理プログラム２６０は、携帯端末２００の持つ決済機能を実行させるためのものであって、ＣＰＵ２１１によって実行される。具体的には、短距離無線通信部２５０が支払処理端末３００から決済要求を受信したとき、この携帯端末２００を特定する情報としての端末ＩＤ２１５やユーザ個人を特定する情報としてのユーザ情報２１８を短距離無線通信部２５０から決済要求元である支払処理端末３００に送信させ、決済処理を行なわせる。そして、決済が完了すると、支払処理端末３００からのその決済がなされた購入商品の商品名や購入価格，購入日時，購入店舗などの購買情報を短距離無線通信部２５０で受信し、購買履歴２１９としてFlash ＲＡＭ２１７に記憶する。
【００３５】
図３は図１における支払処理端末３００の一具体例を示すブロック構成図であって、３１０は制御部、３１１はＣＰＵ、３１２はＨＤＤ(Hard Disc Drive)、３１３は支払処理プログラム、３１４は放送チャンネル設定情報、３１５はＲＡＭ、３２０はＬＣＤ、３３０は入力部、３３１はキーボード、３３２はバーコードリーダ、３４０は短距離無線通信部、３５０はＬＡＮ(Local Area Network)である。
【００３６】
同図において、支払処理端末３００は、制御部３１０と、これによって制御されるＬＣＤ３２０，入力部３３０，短距離無線通信部３４０，ＬＡＮ３５０とから構成されており、制御部３１０はＣＰＵ３１１とＨＤＤ３１２とＲＡＭ３１５とを備えている。
【００３７】
ＣＰＵ３１１は、ＨＤＤ３１２に記憶されている支払処理プログラム３１３に基づいて、ＬＣＤ３２０などを制御し、また、図示しないＯＳ(Operating System)を動作させ、支払処理プログラム３１３に含まれる様々なプログラムを実行する。ＨＤＤ３１２には、また、放送設備５００（図１）から地域限定放送される放送番組に関する情報である地域限定放送チャンネル設定情報３１４が記憶されており、商品の購入に伴う決済が終了した携帯端末２００（図１）に対しては、これら全ての地域限定放送チャンネル設定情報３１４が送信される。
【００３８】
なお、通信装置としてのＬＡＮ３５０はインターネット７００（図１）に接続されており、決済処理サーバ８００（図１）からインターネット７００を介して放送設備５００での地域限定放送の番組表が定期的に送信され、これがＬＡＮ３５０で支払処理端末３００に取り込まれる。支払処理端末３００では、ＣＰＵ３１１が、ＬＡＮ３５０で受信された番組表をもとに、現在放送されている番組やこれから放送する番組の放送チャンネル設定情報３１４を生成し、ＨＤＤ３１２に格納する。即ち、ＣＰＵ３１１は、放送チャンネル設定情報生成部としても、機能するものである。
【００３９】
ＲＡＭ３１５は、ＣＰＵ３１１が支払処理プログラム３１３を実行する際のワークエリアとして利用され、また、支払処理端末３００の管理者の入力部３３０の入力操作によって入力された情報を一時格納する揮発性記憶装置である。
【００４０】
ＬＣＤ３２０は、画面を表示したり、この支払処理端末３００の管理者の入力部３３０の操作によって入力された情報を表示したりする表示部である。
【００４１】
支払処理端末３００は、入力部３３０として、キーボード３３１やバーコードリーダ３３２を備えており、この支払処理端末３００の管理者が文字や命令を入力するのに使用される。なお、店舗４００で扱う商品には、バーコードが印刷あるいは貼付されており、これに商品番号が記録されている。この商品番号に対応する商品名や価格などの商品情報は、支払処理プログラム３１３に格納されている。なお、表示部としてのＬＣＤ３２０や入力部としてのキーボード３３１やバーコードリーダ３３２はその一例であり、他の表示手段や入力手段を用いてもよい。
【００４２】
短距離無線通信部３４０は、通信可能範囲が、例えば、１０ｃｍ以内などの所定範囲に設定されており、この通信可能範囲内の携帯端末２００と短距離無線通信を行なって、携帯端末２００に格納されている端末ＩＤ２１５（図２）やユーザ情報２１８（図２）を受信したり、決済処理に用いられる情報を携帯端末２００と送受信するデバイスである。
【００４３】
図１において、放送設備５００からは各番組が地域限定放送で送信される。放送されている番組やこれから放送される番組に対して、地域限定放送チャンネル設定情報が設定されており、図３に示したように、支払処理端末３００のＨＤＤ３１２に地域限定放送チャンネル設定情報３１４として格納されている。かかる地域限定放送チャンネル設定情報は、上記のように、決済処理サーバ８００から提供される放送設備５００から放送される各放送チャンネルの番組表などの情報をもとに、支払処理端末３００で生成される。
【００４４】
図４は地域限定放送チャンネル設定情報の一具体例を示す図であって、ここでは、図（ａ），（ｂ），（ｃ）として異なる番組の地域限定放送チャンネル設定情報を示しており、３１４ａ，３１４ｂ，３１４ｃは夫々の番組の地域限定放送チャンネル設定情報、３１４１は番組情報、３１４１１は放送局名、３１４１２は番組名、３１４１３は番組内容、３１４１４は対象性別、３１４１５は対象年齢、３１４１６は対象商品、３１４２１は受信周波数、３１４２２はチャンネル番号、３１４２３は有効条件である。
【００４５】
地域限定放送チャンネル設定情報は、番組にかかわらず、そのフォーマットは同じであるので、図４（ａ）に示す地域限定放送チャンネル設定情報３１４ａを主体に説明する。
【００４６】
図４（ａ）において、地域限定放送チャンネル設定情報３１４ａは番組情報３１４１とチャンネル制御情報３１４２０とから構成されている。
【００４７】
番組情報３１４１は、この地域限定放送チャンネル設定情報３１４ａに該当する番組（以下、該当番組という）に関する情報としての放送局名３１４１１，番組名３１４１２，番組内容３１４１３，対象性別３１４１４，対象年齢３１４１５及び対象商品３１４１６からなる。
【００４８】
放送局名３１４１１は、該当番組の地域限定放送をする放送局（ここでは、放送設備５００）を表わすものであって、ここでは、放送設備５００を「地域Ａ放送」局としている。図４（ｂ），（ｃ）に示す地域限定放送チャンネル設定情報３１４ｂ，３１４ｃの該当番組を放送する放送局も、同じ「地域Ａ放送」局である。
【００４９】
番組名３１４１２は、該当番組のタイトルを表わすものであって、ここでは、「スイーツ特集」としている。地域限定放送チャンネル設定情報３１４ｂ，３１４ｃの該当番組の番組名３１４１２は夫々、「ニュース」，「野球」である。また、番組内容３１４１３は該当番組の内容を表わすものであって、ここでは、「スイーツ紹介」としている。地域限定放送チャンネル設定情報３１４ｂ，３１４ｃの該当番組の番組内容３１４１３は夫々、「地域ニュース」，「野球中継」である。
【００５０】
対象性別３１４１４，対象年齢３１４１５及び対象商品３１４１６は夫々、該当番組の提供の対象となるユーザを特定するものである。ここでは、対象性別３１４１４を「女性」としているが、これはこの該当番組が女性を対象としたものであることを示しており、また、対象年齢３１４１５を「１０〜３０」としているが、これはこの該当番組が１０歳〜３０歳の人を対象としたものであることを示しており、さらに、対象商品３１４１６を「甘味」としているが、これは甘味の食材を購入した、あるいは購入している人を対象としたものであることを示している。従って、地域限定放送チャンネル設定情報３１４ａの該当番組は、１０歳〜３０歳の女性で甘味の食材を購入した、あるいは購入している人を提供の対象することを意図した番組ということになる。同様にして、地域限定放送チャンネル設定情報３１４ｂの該当番組は、２０歳以上の男女を問わないひとで、新聞を購入した、あるいは購入している人に提供することを意図した番組であり、地域限定放送チャンネル設定情報３１４ｃの該当番組は、１０歳以上の男女を問わず、スポーツグッズを購入した、あるいは購入している人に提供することを意図した番組である。
【００５１】
このような対象性別３１４１４，対象年齢３１４１５及び対象商品３１４１６が地域限定放送チャンネル設定情報３１４ａに設定されることにより、決済後に支払処理端末３００（図１）から携帯端末２００（図１）に提供される放送チャンネル設定情報が制限されることもあり、携帯端末２００では、提供される放送チャンネル設定情報に該当する番組が受信されることになる。
【００５２】
チャンネル制御情報３１４２０は、該当番組を受信できるようにするための情報であって、該当番組の受信周波数３１４２１，チャンネル番号３１４２２及び有効条件３１４２３からなっている。
【００５３】
受信周波数３１４２１は、該当番組の受信周波数であり、地域限定放送チャンネル設定情報３１４ａの該当番組では、「５０」ＭＨｚである。これに対し、地域限定放送チャンネル設定情報３１４ｂ，３１４ｃの該当番組では夫々、「７０」ＭＨｚ，「９０」ＭＨｚである。また、地域限定放送チャンネル設定情報３１４ａの該当番組でのチャンネル番号は「５」であり、地域限定放送チャンネル設定情報３１４ｂ，３１４ｃの該当番組でのチャンネル番号は夫々、「７」，「９」である。
【００５４】
有効条件３１４２３は、携帯端末２００に送られて設定された地域限定放送チャンネル設定情報３１４ａが有効であるための条件を示すものであって、ここでは、図４にその内容を具体的に示しているが、実際には、携帯端末２００において、後述する有益値（番組がユーザに対してどの程度有益であるかを示す度合い）に応じて設定されるものである。携帯端末２００でこの地域限定放送チャンネル設定情報３１４ａがその有効条件３１４２３を満たさなくなると、この地域限定放送チャンネル設定情報３１４ａは携帯端末２００のFlash ＲＯＭ２１６（図２）から削除される。この条件としては、携帯端末２００に設定されてからの期間や携帯端末２００が受信可能領域６００内にあることなどである。地域限定放送チャンネル設定情報３１４ａでは、この有効条件３１４２３を「３０分間」としており、この場合には、地域限定放送チャンネル設定情報３１４ａは、携帯端末２００で設定されてから３０分間経過すると、削除されるので、この期間内に使用されないと、この地域限定放送チャンネル設定情報３１４ａの該当番組は受信できなくなる。また、地域限定放送チャンネル設定情報３１４ｂでも、この有効条件３１４２３を「３０分間」としているが、地域限定放送チャンネル設定情報３１４ｃでは、期限に関する有効条件３１４２３は設定されておらず、携帯端末２００が受信可能領域６００内にある限り、その該当番組を受信することが可能である。
【００５５】
なお、以下では、これら地域限定放送チャンネル設定情報３１４ａ，３１４ｂ，３１４ｃを総称する場合、地域限定放送チャンネル設定情報３１４ということにする。
【００５６】
かかる地域限定放送チャンネル設定情報３１４は、上記のように、放送設備５００が放送する番組の番組表をもとに生成されるものであるが、番組情報３１４０の対象性別３１４１４や対象年齢３１４１５，対象商品３１４１６は、支払処理端末３００の管理者が入力部３３０を操作することによって入力されたものである。
【００５７】
図５はユーザが店舗４００で商品を購入し、携帯端末２００で決済を行なうときの図１での携帯端末２００の一動作例を示すフローチャートである。なお、図１，図２を参照してこの動作を説明するが、この動作は図２における制御プログラム２１３に基づいてＣＰＵ２１１により実行される。
【００５８】
同図において、携帯端末２００を支払処理端末３００に接近させて支払処理を開始させると、ＣＰＵ２１１は短距離無線通信部２５０に支払処理端末３００からの決済要求を受信したか否かを問い合わせる（Ｓ５０１）。受信していなければ、受信するまで待機するが（Ｓ５０１の“Ｎｏ”）、受信した場合には（Ｓ５０１のＹｅｓ）、短距離無線通信部２５０から支払処理端末３００に端末ＩＤ２１５とユーザ情報２１８を送信させる（Ｓ５０２）。
【００５９】
その後、ＣＰＵ２１１は短距離無線通信部２５０に購買情報を受信したか否かを問い合わせる（Ｓ５０３）。受信しなければ、受信するまで待機するが（Ｓ５０３の“Ｎｏ”）、受信すると（Ｓ５０３の“Ｙｅｓ”）、受信した購買情報をFlash ＲＯＭ２１７に購買履歴２１９として追加記憶させる（Ｓ５０４）。
【００６０】
しかる後、ＣＰＵ２１１は短距離無線通信部２５０が放送設備５００からの地域限定放送番組の地域限定放送チャンネル設定情報３１４（図３）を受信したか否かを問い合わせる（図５のＳ４０５）。受信していなければ、受信するまで待機するが（Ｓ５０５の“Ｎｏ”）、受信すると（Ｓ５０５の“Ｙｅｓ”）、受信した地域限定放送チャンネル設定情報３１４を解析してその該当番組がユーザにとって有益な番組があるか否か判定する有益番組判定を行なう（Ｓ５０６）。他に地域限定放送番組の地域限定放送チャンネル設定情報３１４がある場合には（Ｓ５０７の“Ｎｏ”）、これを受信して（Ｓ５０５）、その有益番組の判定を行ない（Ｓ５０６）、このようにして、支払処理端末３００から送られてくる全ての地域限定放送番組の地域限定放送チャンネル設定情報３１４についてかかる処理を行なう。
【００６１】
なお、有益番組判定（Ｓ５０６）での判定結果に応じて、判定された地域限定放送チャンネル設定情報３１４の有効条件３１４２３（図４）が設定される。
【００６２】
全ての地域限定放送の地域限定放送チャンネル設定情報３１４についての有益番組の判定が終了すると（Ｓ５０７の“Ｙｅｓ”）、その判定の結果、有益な番組が無い場合には（Ｓ５０８の“Ｎｏ”）、かかる決済処理を終了するが（この場合、Flash ＲＯＭ２１６には、地域限定放送チャンネル設定情報３１４は記憶されない）、有益な番組がある場合には（Ｓ５０８の“Ｙｅｓ”）、有益と判定された番組の地域限定放送チャンネル設定情報３１４が全て、その判定結果とともに、Flash ＲＯＭ２１６に受信可能チャンネル２７０として格納されるとともに、ユーザにとって最も有益と判定された番組の地域限定放送チャンネル設定情報３１４での受信周波数３１４２１（図４）を放送受信部２４０に設定する。これにより、この番組が受信されてＬＣＤ２２０に表示され、ユーザが視聴可能となる（Ｓ５０９）。有益と判定されない番組の地域限定放送チャンネル設定情報３１４は、受信可能チャンネル２７０とはならず、破棄される。従って、有益と判定されない番組は視聴することができない。
【００６３】
なお、このとき、番組を直ちにＬＣＤ２２０に表示させる必要はなく、この決済処理の直後にユーザが放送受信部２４０を使用して放送を受信するとき最初に受信するチャンネルとして設定するだけでもよい。
【００６４】
また、有益と判定された地域限定放送の番組の地域限定放送チャンネル設定情報は、有益判定の結果とともに、受信可能チャンネル２７０として、Flash ＲＯＭ２１７に記憶される。Flash ＲＯＭ２１７に受信可能チャンネル２７０として記憶された有益と判定された地域限定放送の番組のチャンネルは、ユーザが携帯端末２００を、例えば、タッチパッド２３０をタッチ操作することなどによって適宜選択して放送受信部２４０に設定され、受信されてＬＣＤ２２０に表示される。放送受信部２４０で地域限定放送の番組のチャンネルが受信されているときには、タッチパッド２３０をタッチ操作する毎に、有益性が高い順に地域限定放送の番組のチャンネルが放送受信部２４０に設定されてその受信が行なわれるが、受信可能チャンネル２７０としての地域限定放送の番組のチャンネルが全て放送受信部２４０に設定されると、次にタッチパッド２３０をタッチ操作したときには、広域放送チャンネル設定情報のチャンネルが設定されて放送受信部２４０に設定されてこれが受信されるようになり、以下、タッチパッド２３０をタッチ操作する毎に、広域放送チャンネル設定情報のチャンネルが順に設定されて放送受信部２４０に設定されてこれが受信される。そして、全ての広域放送チャンネル設定情報のチャンネルが放送受信部２４０に設定されると、タッチパッド２３０の次のタッチ操作からは、再び地域限定放送の番組のチャンネルが有益性の高い順に放送受信部２４０に設定されることになり、
以下、放送受信部２４０でのチャンネルの設定が繰り返されることになる。これにより、Flash ＲＯＭ２１７に受信可能チャンネル２７０として登録されているチャンネルの番組は、いずれも受信可能としてＬＣＤ２２０に表示させることができ、ユーザはこれを視聴することができる。
【００６５】
なお、広域放送チャンネルについては、そのチャンネル番号を指定することにより、ユーザが希望するチャンネルを受信できるようにしてもよい。
【００６６】
さらに、放送設備５００から送信される地域限定放送は受信可能領域６００でしか受信できないため、携帯端末２００が受信可能領域６００から離れると、上記のように、Flash ＲＯＭ２１７に受信可能チャンネル２７０として登録されチャンネルは不要になり、有効条件３１４２３が成立しなくなる。従って、ＣＰＵ２１１は、放送チャンネル設定情報の有効条件が成立しなくなったと判定して、上記のように、Flash ＲＯＭ２１７からかかる受信可能チャンネル２７０を削除する。なお、上記のように、Flash ＲＯＭ２１７に受信可能チャンネル２７０として登録されているチャンネルの番組を視聴中に、携帯端末２００が受信可能領域６００から離れてその番組を視聴できなくなったときにも、Flash ＲＯＭ２１７でのそのチャンネルの受信可能チャンネル２７０としての登録を削除する。これにより、視聴できなくなる。
【００６７】
図５のＳ５０６での有益番組判定は、短距離無線通信部２５０で受信した支払処理端末３００からの地域限定放送チャンネル設定情報３１４（図３）を解析し、ユーザ情報２１８や購買履歴２１９を用いて、その該当番組がユーザにとって有益な番組であるか否かを判定するものである。
【００６８】
図６は図１での携帯端末２００での有益番組判定（図５のＳ５０６）の処理の一具体例を示すフローチャートである。この判定処理は、短距離無線通信部２５０で地域限定放送チャンネル設定情報３１４が受信される毎に、ＣＰＵ２１１により実行される。
【００６９】
同図において、短距離無線通信部２５０で地域限定放送チャンネル設定情報３１４が受信されると、まず、その該当番組に対する有益値を０に初期設定する（Ｓ６０１）。そして、Flash ＲＯＭ２１７のユーザ情報２１８からユーザの年齢を取得し、その年齢が地域限定放送チャンネル設定情報３１４の対象年齢３１４１５の設定範囲内か否か判定する（Ｓ６０２）。この設定範囲外であるならば（Ｓ６０２の“Ｎｏ”）、そのときの有益値を返却して（即ち、この地域限定放送チャンネル設定情報３１４に関連付けて）（Ｓ６０８）、この地域限定放送チャンネル設定情報３１４に対する処理を終了するが、この設定範囲内にあるならば、有益値に１を加える（Ｓ６０３）。
【００７０】
次に、Flash ＲＯＭ２１７の購買履歴２１９を調べて地域限定放送チャンネル設定情報３１４の対象商品３１４１６の購入経験があるか否かを調べ（Ｓ６０４）、購入経験があれば（Ｓ６０４の“Ｙｅｓ”）、有益値に１を加える（Ｓ６０５）。購入経験がない場合（Ｓ６０４の“Ｎｏ”）、あるいは、Ｓ６０５で有益値に１を加えると、Flash ＲＯＭ２１７に登録されているユーザ情報２１８からユーザの性別情報を取得し、その性別が地域限定放送チャンネル設定情報３１４の対象性別３１４１４に合致するか否かを調べ（Ｓ６０６）、対象性別３１４１４と合致すれば（Ｓ６０６の“Ｙｅｓ”）、有益値に１を加える（Ｓ６０７）。Ｓ６０７の処理が終了し、あるいは、ユーザ情報２１８の性別が地域限定放送チャンネル設定情報３１４の対象性別３１４１４と一致しない場合（Ｓ６０６の“Ｎｏ”）、以上の処理で算出された有益値を返却し（Ｓ６０８）、この地域限定放送チャンネル設定情報の処理を終了する。
【００７１】
この処理を決済処理後に供給される放送チャンネル設定情報毎に行なわれ、夫々の放送チャンネル設定情報の該当番組毎に有益値が設定される。また、Ｓ６０２で“Ｎｏ”となった該当番組は、その有益値が０であり、図５のＳ５０６では、有益でないと判定され、これに対しては、携帯端末２００のFlash ＲＯＭ２１６には、受信可能チャンネル２７０として登録されない。さらに、このように、支払処理端末３００からの全ての地域限定放送チャンネル設定情報３１４の該当番組が全てその有益値が０である場合には、図５のＳ５０８で“Ｎｏ”（有益な番組無し）と判定され、Flash ＲＯＭ２１６に受信可能チャンネル２７０が登録される地域限定放送チャンネル設定情報３１４は無いことになる。
【００７２】
なお、図６のＳ６０３，Ｓ６０５及びＳ６０７では夫々、有益値に１を加えるようにしているが、対象条件（即ち、図４での対象性別３１４１４，対象年齢３１４１５，対象商品３１４１６）の重要性に基づいて加える値を増減させるようにしてもよい。例えば、購買履歴を重視する場合には、図６のＳ６０５で有益値に加える値を２にする。これらの有益値に加算する値は、ユーザが独自に設定するようにしてもよい。また、ユーザが興味のある商品に関する番組の有益値を高く算出させるため、図６のＳ６０５で加算する値は、購買離席２１９（図２）を基に、過去の購入回数に比例して増減させるようにしてもよい。
【００７３】
図７は図１での支払処理端末３００が決済処理を行なうときの一動作例を示すフローチャートである。なお、この処理動作は、図３での支払処理プログラム３１３に基づいて、ＣＰＵ３１１により実行される。
【００７４】
同図において、決済処理を開始すると、ＣＰＵ３１１はバーコードリーダ３３２（図３）に購入された商品に設けられたバーコードの読取りを要求し、これを読み取るまで待機する（Ｓ７０１の“Ｎｏ”）。バーコードを読み取って購入された商品の商品番号を取得できると（Ｓ７０１の“Ｙｅｓ”）、短距離無線通信部３４０（図３）から決済要求を携帯端末２００に送信させ（Ｓ７０２）、携帯端末２００からその端末ＩＤ２１５とユーザ情報２１８（図２）が送信されて来るのを待つ（図７のＳ７０３）。それらを正しく受信できると（Ｓ７０３の“Ｙｅｓ”）、バーコードから読み取った商品番号からその商品の価格を取得し、その価格情報と携帯端末２００から取得したユーザ情報２１８とを決済サーバ８００に送信して決済処理を要求する（Ｓ７０４）。正しく決済ができなかった場合には、この決済処理を終了するが（Ｓ７０５の“Ｎｏ”）、正しく決済ができた場合には（Ｓ７０５の“Ｙｅｓ”）、購入された商品の商品名や購入価格，購入日時，購入店舗などの購買情報を短距離無線通信部３４０から携帯端末２００に送信させる（Ｓ７０６）。また、地域限定放送チャンネル設定情報３１４（図３）も短距離無線通信部３４０から携帯端末２００に送信させる（Ｓ７０７）。
【００７５】
以上のように、第１の実施形態では、ユーザが所有する携帯端末２００の短距離無線機能を使用して決済を行なったとき、この携帯端末２００で最も有益な地域限定放送の番組を自動的に受信することができる。このシステムを導入している店舗４００では、ユーザに最適な地域限定放送を提供できるので、地域限定放送の視聴率を向上させることができる。
【００７６】
また、ユーザが受信可能領域６００を離れた場合、受信可能チャンネル２７０から地域限定放送の登録が削除されるので、不要な番組の登録を減らすことができ、携帯端末２００の操作性を向上させることができる。
【００７７】
（第２の実施形態）
図８は本発明による放送チャンネル設定システム及びこれに用いる放送チャンネル設定情報送出装置，携帯端末の第２の実施形態を用いたエリア限定放送サービスシステムを示すシステム図であって、９００は改札機、１０００は駅構外、１１００は駅構内、１２１０は路線Ａのホーム、１２２０は路線Ｂのホーム、１３１０は路線Ａの列車、１３２０は路線Ｂの列車、１４００は運賃決済サーバであり、図１に対応する部分には同一符号を付けて重複する説明を省略する。この第２の実施形態は、駅構内や列車内を受信可能領域とするものである。
【００７８】
同図において、駅構内１１００と駅構外１０００との境には、ユーザ（乗客）が駅構内１１００を出入りする改札口（ゲート）に改札機９００が設けられ、また、駅構内１１００には、路線Ａの列車１３１０が発着する路線Ａのホーム１２１０と路線Ｂの列車１３２０が発着する路線Ｂのホーム１２２０とがあるものとする。ユーザが携帯する携帯端末２００は、先の第１の実施形態での携帯端末２００と同様の放送受信機能や短距離通信機能を有するとともに、さらに、電子乗車券機能を有しており、ユーザが改札口を通るときに携帯端末２００を改札機９００にかざすことにより、ユーザはこの改札口を通して駅構内１１００の出入りをすることができる。
【００７９】
なお、ここでは、改札口を１つとし、路線Ａのホーム１２１０と路線Ｂの列車１３２０との２つのホームがあるものとして説明するが、これに限るものでなく、これ以外の個数の改札口，ホームがあってもよい。
【００８０】
かかる駅構内１１００には、放送設備５００が設けられており、この駅構内１１００を受信可能領域６００として、この受信可能領域６００内で受信可能な地域限定放送をこの放送設備５００が送信する。また、列車１３１０，１３２０においても、放送設備５００Ａ，５００Ｂが設けられており、列車１３１０内を受信可能領域として、放送設備５００Ａがこの受信可能領域内で受信可能な地域限定放送を送信するし、列車１３２０内を受信可能領域として、放送設備５００Ｂがこの受信可能領域内で受信可能な地域限定放送を送信する。
【００８１】
ユーザが所有する携帯端末２００は、先の第１の実施形態での携帯端末２００と同様に、図２に示す構成をなしている。但し、ここでの購買履歴２１９は、ユーザが利用した路線の履歴情報も含まれる。
【００８２】
携帯端末２００は、この受信可能領域６００内にあるときには、その放送受信機能により、放送設備５００から送信される地域限定放送を受信できて、ユーザはその放送番組を視聴することができる。また、ユーザが列車１３１０に乗車すると、携帯端末２００はこの列車１３１０内の放送設備５００Ａからの地域限定放送を受信することができ、ユーザが列車１３２０に乗車すると、携帯端末２００はこの列車１３２０内の放送設備５００Ｂからの地域限定放送を受信することができて、ユーザは夫々の放送を視聴することができる。
【００８３】
改札機９００は、図１に示す支払処理端末３００と同様の決済機能を持つ支払処理端末を備えて有しており、ユーザが改札口から駅構外１０００に出るときに携帯端末２００を改札機９００に近接させることにより、携帯端末２００との間で短距離無線通信が行なわれて運賃決済のための情報が得られ、これにより、運賃決済サーバ１４００との間で運賃の決済処理を行なう。また、ユーザが改札口から駅構内１１００に入るときに携帯端末２００を改札機９００に近接させることにより、携帯端末２００と改札機９００との間で短距離無線通信が行なわれ、携帯端末２００を放送設備５００や放送設備５００Ａ，５００Ｂからの地域限定放送の受信可能な状態にする。
【００８４】
従って、携帯端末２００と改札機９００内の上記支払処理端末とで、放送チャンネル設定システム１００が形成されていることになる。但し、以下では、改札機９００が携帯端末２００と放送チャンネル設定システム１００を形成しているとして、説明する。
【００８５】
ここで、駅構内１１００に設けられている放送設備５００で放送されている番組や路線Ａの列車１３１０内及び路線Ｂの列車１３２０内に設置されている放送設備５００Ａ，５００Ｂで放送されている番組は夫々異なるものであり、これら番組の送信チャンネルも異なっている。これにより、駅構内１１００で必要になる情報と列車１３１０，１３２０内で必要になる情報を分けて送信することができ、また、夫々の受信可能領域が近接する場合の混信を避けることができる。例えば、駅構内１１００では、各路線のホームへの道案内や列車の行き先案内，出発時刻などに関する番組を放送し、列車１３１０，１３２０内では、その列車１３１０，１３２０が停車する予定の駅について、到着時刻や乗換案内などに関する番組を放送する。
【００８６】
なお、ユーザが駅構内１１００に入るときに改札機９００から携帯端末２００に提供される駅構内１１００の放送設備５００が送信する放送内容についての情報や路線Ａ，Ｂの列車１３１０，１３２０内で放送される放送内容についての情報は、運賃決済サーバ１４００から改札機９００に提供されるものである。
【００８７】
なお、これら情報は、いずれも地域限定放送チャンネル設定情報であるが、この第２の実施形態に限って、これらを放送チャンネル設定情報ということにする。広域放送チャンネル設定情報については、先の第１実施形態と同様である。
【００８８】
図９は図８における改札機９００の一具体例を示すブロック構成図であって、９１０は制御部、９１１はＣＰＵ、９１２はＨＤＤ、９１３は運賃決済プログラム、９１４は放送チャンネル設定情報、９１５はＲＡＭ、９２０はゲート、９３０は人感センサ、９４０は短距離無線通信部、９５０はＬＡＮである。
【００８９】
同図において、制御部９１０はＣＰＵ９１１などを備えており、ＨＤＤ９１２に記憶された運賃決済プログラム９１３に基づいて、ゲート９２０などを制御する。ＣＰＵ９１１は、ＯＳを動作させ、運賃決済プログラム９１３に含まれる様々なプログラムを実行する。
【００９０】
放送チャンネル設定情報９１４は、駅構内１１００（図８）に設置された放送設備５００で送信している放送についての情報や路線Ａの列車１３１０内での放送についての情報，路線Ｂの列車１３２０内での放送についての情報であり、ＨＤＤ９１２に記憶されている。ＲＡＭ９１５は、運賃決済プログラム９１３のワークエリアとして利用される揮発性記憶領域である。
【００９１】
ゲート９２０は改札口に設けられて乗客としてのユーザの駅構内１１００への出入を制限するための簡易的な扉であり、通常はクローズしている。人感センサ９３０は、赤外線レーザや赤外線センサを使用したものであり、ユーザが改札口を通過するときに赤外線レーザを遮ることにより、旅客の通過を認識する。
【００９２】
短距離無線通信部９４０は、通信可能範囲が、例えば、１０ｃｍ以内などの所定範囲に設定され、この通信可能範囲内の携帯端末２００と無線通信（短距離無線通信）を行ない、携帯端末２００に格納されている端末ＩＤ２１５やユーザ情報２１８（図２）を受信したり、決済処理に用いられる情報を送受信するデバイスである。
【００９３】
ＬＡＮ９５０は、運賃決済サーバ１４００に接続するための通信装置である。
【００９４】
図１０は図９における放送チャンネル設定情報９１４の一具体例を示す図であって、同図（ａ）は図８における駅構内１１００の放送設備５００に対する放送チャンネル設定情報９１４、同図（ｂ）は路線Ａの列車１３１０に設けられた放送設備５００Ａに対する放送チャンネル設定情報９１４、同図（ｃ）は路線Ｂの列車１３２０に設けられた放送設備５００Ｂに対する放送チャンネル設定情報９１４であり、９１４ａ，９１４ｂ，９１４ｃは夫々の番組の放送チャンネル設定情報、９１４１は番組情報、９１４１１は放送局名、９１４１２は番組名、９１４１３は番組内容、９１４１４は対象性別、９１４１５は対象年齢、９１４１６は対象商品、９１４２１は受信周波数、９１４２２はチャンネル番号、９１４２３は有効条件である。
【００９５】
放送チャンネル設定情報９１４は、放送設備５００，５００Ａ，５００Ｂにかかわらず、そのフォーマットは同じであるので、図１０（ａ）に示す放送チャンネル設定情報９１４を主体に説明する。
【００９６】
図１０（ａ）において、図４に示す地域限定放送チャンネル設定情報３１４と同様、放送チャンネル設定情報９１４ａは番組情報９１４１とチャンネル制御情報９１４２０とから構成されている。
【００９７】
番組情報９１４１は、図４に示す地域限定放送チャンネル設定情報３１４と同様、この放送チャンネル設定情報９１４ａに該当する番組に関する情報としての放送局名９１４１１，番組名９１４１２，番組内容９１４１３，対象性別９１４１４，対象年齢９１４１５及び対象商品９１４１６からなる。
【００９８】
放送局名９１４１１は、該当する放送設備５００からの地域限定放送の受信可能領域を表わすものであって、放送チャンネル設定情報９１４では、「駅構内」であり、路線Ａ，Ｂの列車１３１０，１３２０に対する放送チャンネル設定情報９１４Ａ，９１４Ｂでは夫々、「路線Ａ」，「路線Ｂ」である。
【００９９】
番組名９１４１２は、該当番組のタイトルを表わすものであって、ここでは、例えば、「ホーム案内」とし、放送チャンネル設定情報９１４Ａ，９１４Ｂでは夫々、例えば、「路線Ａ案内」，「路線Ｂ案内」としている。また、番組内容９１４１３は該当番組の番組内容を表わすものであって、ここでは、例えば、「ホームへの道順」とし、放送チャンネル設定情報９１４Ａ，９１４Ｂでは夫々、例えば、「停車駅・乗換案内」としている。
【０１００】
対象性別９１４１４，対象年齢９１４１５及び対象商品９１４１６は夫々、該当番組の提供の対象となる乗客を特定するものである。ここでは、対象性別９１４１４を「男性／女性」として、男女いずれもこの該当番組の提供対象としている。放送チャンネル設定情報９１４Ａ，９１４Ｂについても、同様である。対象年齢９１４１５を「全年齢」として、この該当番組の提供対象としては年齢を問わないとしている。放送チャンネル設定情報９１４Ａ，９１４Ｂについても、同様である。
【０１０１】
さらに、対象商品９１４１６は、駅構内１１００や列車といったユーザが利用するものをいうものであって、ユーザが携帯端末２００を改札機９００に近接させて駅構内１１００に入ったときには、駅構内１１００や列車といった商品を購入したと見なされるものであり、これにより、駅構内１１００では放送設備５００からの受信可能領域６００の地域限定放送を視聴することができ、路線Ａ，Ｂの列車１３１０，１３２０では夫々、放送設備５００Ａ，５００Ｂからの地域限定放送を列車内という受信可能領域で視聴することができるようになるものである。ここで、駅構内１１００の放送チャンネル設定情報９１４では、対象商品が「駅構内」ということになり、列車１３１０，１３２０の放送チャンネル設定情報９１４Ａ，９１４Ｂでは夫々、「路線Ａ」，「路線Ｂ」ということになる。
【０１０２】
このような対象性別９１４１４，対象年齢９１４１５及び対象商品９１４１６が放送チャンネル設定情報９１４に設定されることにより、改札機９００から携帯端末２００に提供される放送チャンネル設定情報９１４が制限されることもあり、ここでは、ユーザに対する制限はないが、提供される放送番組が場所（駅構内１１００や列車内）に応じて制限されることになる。
【０１０３】
チャンネル制御情報９１４２０は、番組を受信できるようにするための情報であって、番組の受信周波数９１４２１，チャンネル番号９１４２２及び有効条件９１４２３からなっている。
【０１０４】
受信周波数９１４２１は、番組の受信周波数であり、駅構内１１００の放送チャンネル設定情報９１４では、「５０」ＭＨｚである。これに対し、列車１３１０，１３２０に対する放送チャンネル設定情報９１４Ａ，９１４Ｂの番組では夫々、「７０」ＭＨｚ，「９０」ＭＨｚとしている。また、駅構内１１００の放送チャンネル設定情報９１４のチャンネル番号は「５」であり、列車１３１０，１３２０の放送チャンネル設定情報９１４Ａ，９１４Ｂの番組でのチャンネル番号は夫々、「７」，「９」である。
【０１０５】
有効条件９１４２３は、携帯端末２００に送られて設定された放送チャンネル設定情報９１４が有効であるための条件を示すものであって、先の第１の実施形態と同様、携帯端末２００で設定されるものであり、携帯端末２００でこの放送チャンネル設定情報９１４がその有効条件９１４２３を満たさなくなると、この放送チャンネル設定情報９１４は削除され、これに該当する放送番組は受信できなくなる。この条件としては、改札口を通るときに改札機９００から携帯端末２００に与えられた入場フラグが有ることや放送チャンネル設定情報９１４が携帯端末２００に設定されてからの期間などである。放送チャンネル設定情報９１４，９１４Ａ，９１４Ｂのいずれにおいても、入力フラグが携帯端末２００に設定されていることが有効条件の１つであるが、さらに、放送チャンネル設定情報９１４では、この有効条件９１４２３を「２時間」として、放送チャンネル設定情報９１４が携帯端末２００で設定されてから２時間経過するまでは、削除されないものである。また、列車１３１０，１３２０の放送チャンネル設定情報９１４Ａ，９１４Ｂでは夫々、この有効条件９１４２３を、「入場フラグ有り」に加えて、「２時間」，「１時間」としている。
【０１０６】
図１１は図８における携帯端末２００の電子乗車券の機能の動作の一具体例を示すフローチャートである。
【０１０７】
この具体例は、ユーザが乗車駅の改札機９００を携帯端末２００の電子乗車券の機能を利用して通過し、列車で目的の駅に行き、到着駅の改札機９００を携帯端末２００の電子乗車券の機能を利用して通過した場合の動作を示すものである。なお、この動作は、図２において、制御プログラム２１３に基づいてＣＰＵ２１１により実行される。以下、図２を参照してこの動作を説明する。
【０１０８】
図１１において、携帯端末２００が電子乗車券の機能を実行開始すると、ＣＰＵ２１１は短距離無線通信部２５０が改札機９００からの入場フラグ書込要求を受信したか否かを問い合わせる（Ｓ１１０１）。なお、入場フラグは、入場駅名や入場日時，放送チャンネル設定情報９１４を有するものである。入場フラグを受信していなければ、それを受信するまで待機する（Ｓ１１０１の“Ｎｏ”）。短距離無線通信部２５０が入場フラグを受信すると（Ｓ１１０１の“Ｙｅｓ”）、それをFlash ＲＯＭ２１７に書き込み、書込み通知を短距離無線通信部２５０から送信させる（Ｓ１１０２）。
【０１０９】
なお、この入場フラグに含まれる放送チャンネル設定情報９１４は、改札機９００に設定されている全ての放送チャンネル設定情報９１４、ここでは、図１０に示される駅構内１１００の放送チャンネル設定情報９１４と路線Ａ，Ｂの列車１３１０，１３２０の放送チャンネル設定情報９１４Ａ，９１４Ｂとである。
【０１１０】
次に、受信した入場フラグの中から全ての放送チャンネル設定情報９１４を抽出し、これらに対して有益駅構内番組判定を行なう（Ｓ１１０３）。その判定結果に従って、図５のＳ５０９と同様に、この放送チャンネル設定情報９１４による放送チャンネルが、受信可能チャンネル２７０として、Flash ＲＯＭ２１７に格納され、また、放送受信部２４０に設定する視聴設定を行なう（Ｓ１１０４）。この視聴設定により、携帯端末２００では、駅構内１１００においては、その放送受信部２５０で放送設備５００からの地域限定放送が受信されて視聴可能となり、また、路線Ａの列車１３１０に乗車したときには、この列車１３１０に設けられた放送設備５００Ａからの地域限定放送が受信されて視聴可能となるし、路線Ｂの列車１３２０に乗車したときには、この列車１３２０に設けられた放送設備５００Ｂからの地域限定放送が受信されて視聴可能となる。
【０１１１】
その後、ユーザは列車で移動して目的地の駅に到着するが（Ｓ１１０５）、その間、ＣＰＵ２１１は短距離無線通信部２５０に運賃決済要求を受信したか否かを問い合わせ（Ｓ１１０６）、短距離無線通信部２５０がこれを受信していなければ、受信するまで待機する（Ｓ１１０６の“Ｎｏ”）。目的地の駅の改札口で携帯端末２００をその改札機９００に近接させることにより、短距離無線通信部２５０が改札機９００からの運賃決済要求を受信すると（Ｓ１１０６の“Ｙｅｓ”）、端末ＩＤ２１５とユーザ情報２１８と乗車駅名を短距離無線通信部２５０から改札機９００に送信させる（Ｓ１１０７）。その後、ＣＰＵ２１１は短距離無線通信部２５０に改札機９００からの運賃決済完了通知を受信したか否かを問い合わせ（Ｓ１１０８）、これを受信していなければ、受信するまで待機するが（Ｓ１１０８の“Ｎｏ”）、受信した場合には（Ｓ１１０８の“Ｙｅｓ”）、Ｓ１１０２でFlash ＲＯＭ２１７に書き込まれている入場フラグを削除し（Ｓ１１０９）、乗車した路線を、購買履歴２１９、即ち、乗車履歴として、Flash ＲＯＭ２１７に記憶させる（Ｓ１１１０）。また、これと同時に、Ｓ１１０４でFlash ＲＯＭ２１７に受信可能チャンネル２７０として設定したチャンネルの放送チャンネル設定情報も削除する。
【０１１２】
図１２は図１１における有益駅構内番組判定（Ｓ１１０３）の処理の一具体例を示すフローチャートである。
【０１１３】
同図において、携帯端末２００がこの処理を開始すると、有益値を１に初期化する（Ｓ１２０１）。放送チャンネル設定情報９１４の放送局名９１４１１を調べて、それが「駅構内」であって、駅構内１１００の放送チャンネル設定情報９１４であるか確認する（Ｓ１２０２）。この放送チャンネル設定情報９１４が駅構内１１００の放送のものであるときには、（Ｓ１２０２の“Ｙｅｓ”）、この放送チャンネル設定情報９１４に対して、有益値に１０を加えて（Ｓ１２０３）、これを返却する（Ｓ１２０８）。
【０１１４】
また、この放送チャンネル設定情報９１４の放送局名９１４１１が「駅構内」でないときには（Ｓ１２０２の“Ｎｏ”）、路線の放送チャンネル設定情報９１４となり、ユーザがその路線（例えば、路線Ａ）の列車に乗車する予定があるか否かを判定する（Ｓ１２０４）。ここで、携帯端末２００には、スケジュール管理機能が設けられており、これにより、予定日や目的駅などのスケジュール情報を入力することができる。あるいは、かかるスケジュールを入力するスケジュール欄を表示し、これに予定日時や目的駅，予定内容などのスケジュール情報を入力できるようにしてもよい。入力されたかかるスケジュール情報は、図２でのFlash ＲＯＭ２１６に記憶される。Ｓ１２０４は、かかるスケジュール情報の有無を判定するものである。かかるスケジュールでユーザにこの路線Ａの列車に乗車する予定であるときには（Ｓ１２０４の“Ｙｅｓ”）、この放送チャンネル設定情報９１４に対して、有益値を、例えば、値「５」を加えるなどして、増加させる（Ｓ１２０５）。
【０１１５】
このように、有益値を増加させると（Ｓ１２０５）、あるいは、ユーザはこの路線Ａの列車に乗車する予定がない場合には（Ｓ１２０４の“Ｎｏ”）、次に、この路線Ａの乗車履歴があるか否かを、Flash ＲＯＭ２１６の購買履歴２１９（図２）をもとに判定し（Ｓ１２０６）、この乗車履歴がある場合には（Ｓ１２０６の“Ｙｅｓ”）、この放送チャンネル設定情報９１４に対して、有益値を、例えば、値「１」を加えるなどして、増加させる（Ｓ１２０７）。以上の処理が終了すると、これまでの有益値を返却する（Ｓ１２０８）。この路線Ａの乗車履歴がない場合には（Ｓ１２０６の“Ｎｏ”）、Ｓ１２０７で有益値を増加させることなく、これまでの有益値を返却する（Ｓ１２０８）。
【０１１６】
路線Ｂについても同様であり、これにより、駅構内の放送チャンネル設定情報９１４に対する有益値が最大の値「１１」となり、次いで、乗車予定の路線の放送チャンネル設定情報９１４に対する有益値が値「６」以上となり、乗車予定は無いが、乗車履歴がある路線の放送チャンネル設定情報９１４に対する有益値が値「２」となる。そして、乗車予定もなく、乗車履歴の無い路線の放送チャンネル設定情報９１４に対する有益値は値「１」であって、最低の有益値となる。
【０１１７】
ユーザが改札口を入るときに、携帯端末２００が改札機９００に接近することにより、改札機９００から携帯端末２００に駅構内や各路線の放送チャンネル設定情報９１４が送信され、携帯端末２００がかかる放送チャンネル設定情報９１４を受信するとともに、図１２で説明したように、図１１での有益駅構内番組判定（Ｓ１１０３）が行なわれ、これら放送チャンネル設定情報９１４が、その有益値とともに、受信可能チャンネル２７０として、Flash ＲＯＭ２１６に登録されることになる。
【０１１８】
そして、図１１でのＳ１１０５では、まず、Flash ＲＯＭ２１６の受信可能チャンネルのうちで最大の有益値の放送チャンネル設定情報９１４の受信周波数９１４２１（図１０）が放送受信部２４０に設定される。これにより、放送受信部２４０では、この受信周波数９１４２１のチャンネル（即ち、放送設備５００の地域制限放送）が受信可能となるものであって、携帯端末２００が駅構内１１００（図８）に存在する場合には、この放送が携帯端末２００で受信される。
【０１１９】
これに対して、ユーザが駅構内１１００を移動して、例えば、路線Ａの列車１３１０に搭乗し、この列車１３１０が発車して受信可能領域６００から出ると、放送設備５００からの地域制限放送を受信できなくなる。そこで、図２において、図示しない受信状態検出部で受信されなくなったことが検出されると、ＣＰＵ２１１がFlash ＲＯＭ２１６から受信可能チャンネル２７０としての次に有益値が大きい路線、例えば、路線Ａの放送チャンネル設定情報９１４の受信周波数９１４２０を取得し、放送受信部２４０に設定する。これにより、携帯端末２００の放送受信部２４０が路線Ａの列車１３１０の放送設備５００Ａからの地域制限放送を受信することができれば、そのままの状態としてこの放送の受信を継続するが、これでも受信ができないときには、ＣＰＵ２１１は、さらに、Flash ＲＯＭ２１６から受信可能チャンネル２７０としての次に有益値が大きい路線、例えば、路線Ｂの放送チャンネル設定情報９１４の受信周波数９１４２０を取得し、放送受信部２４０に設定する。
【０１２０】
このようにして、図１１の視聴設定（Ｓ１１０４）は、受信できる受信可能チャンネルを有益値が大きい順に探索して、放送受信部２４０を受信状態にするものである。
【０１２１】
図１３は、図８において、ユーザが駅構内１１００に入場する際の改札機９００の動作の一具体例を示すフローチャートである。なお、この動作は、図９において、運賃決済プログラム９１３に基づいてＣＰＵ９１１により実行されるものであって、図９を参照にして説明する。
【０１２２】
同図において、ＣＰＵ９１１は短距離無線部９４０から携帯端末２００に入場フラグを送信し（Ｓ１３０１）、短距離無線部９４０で携帯端末２００からの入場フラグ書込み応答を受信したか否か確認する（Ｓ１３０２）。これを受信できなかったときには（Ｓ１３０２の“Ｎｏ”）、再び短距離無線部９４０から携帯端末２００に入場フラグを送信する。
【０１２３】
短距離無線部９４０で携帯端末２００からの入場フラグ書込み応答が受信されると（Ｓ１３０２の“Ｙｅｓ”）、改札口のゲート９２０をオープンしてユーザが通過できる状態にする（Ｓ１３０３）。ゲート９２０がオープンしている間、人感センサ１５３０に問い合わせて、ユーザがこのゲート９２０を通過したか否かを調べる（Ｓ１３０４）。通過していない場合には、通過するまで待機し（Ｓ１３０４の“Ｎｏ”）。通過したときには（Ｓ１３０４の“Ｙｅｓ”）、ゲート９２０をクローズする（Ｓ１３０５）。
【０１２４】
図１４は、図８において、ユーザが駅構内１１００から退場する際の改札機９００の動作の一具体例を示すフローチャートである。なお、この動作も、図９において、運賃決済プログラム９１３に基づいてＣＰＵ９１１により実行されるものであって、図９を参照して説明する。
【０１２５】
同図において、ＣＰＵ９１１は、短距離無線部９４０に携帯端末２００から端末ＩＤ２１５，ユーザ情報２１８及び乗車駅名を受信したか否かを問い合わせる（Ｓ１４０１）。これを受信していないときには、受信するまで待機する（Ｓ１４０１の“Ｎｏ”）。
【０１２６】
短距離無線部９４０で携帯端末２００からの端末ＩＤ２１５やユーザ情報２１８，乗車駅名が受信されると（Ｓ１４０１の“Ｙｅｓ”）、ＬＡＮ９５０からそれらの情報と改札機９００が設置されている駅の情報とを運賃決済サーバ１４００（図８）に送信し、運賃決済を要求する（Ｓ１４０２）。正常に運賃決済が終了しなかった場合には（Ｓ１４０３の“Ｎｏ”）、再び運賃決済を要求する（Ｓ１４０２）。正常に運賃決済が終了すると（Ｓ１４０３の“Ｙｅｓ”）、ゲート９２０をオープンする（Ｓ１４０４）。ゲート９２０がオープンしている間、人感センサ１５３０に問い合わせて、ユーザがこのゲート９２０を通過したか否かを調べる（Ｓ１４０５）。通過していない場合には、通過するまで待機し（Ｓ１４０５の“Ｎｏ”）。通過したときには（Ｓ１４０５の“Ｙｅｓ”）、ゲート９２０をクローズする（Ｓ１４０６）。
【０１２７】
この第２の実施形態によると、携帯端末２００の電子乗車券機能を使用したときには、駅構内１１００の放送と乗車できる列車１３１０，１３２０内の放送との受信設定を自動で行なうことができる。また、目的地の駅に到着して改札口から出たときには、携帯端末２００では、そのFlash ＲＯＭ２１７から受信可能チャンネル２７０の受信設定を削除できるので、不要な番組の登録を減らすことができ、携帯端末２００の操作性を向上させることができる。
【０１２８】
なお、この第２の実施形態では、ユーザは列車の乗客なので、必ず乗車駅の駅構内１１００を通り、列車１３１０または１３２０に乗り、降車駅の駅構内１１００を通る。ユーザが視聴設定（図１１のＳ１１０４）の後に放送を受信する場合、最初に駅構内１１００の放送を受信し、列車で移動してその受信可能領域６００を離れてこの放送を受信できなくなると、列車内の放送を受信する。その後、列車が目的先の駅に到着してその列車から降り、その列車内の放送の受信可能領域６００を離れてその放送が受信できなくなったとき、その目的先の駅の駅構内１１００の放送を受信するように、放送受信部２４０を動作させてもよい。このために、携帯端末２００のＣＰＵ２１１は、放送受信部２４０が放送を受信しなくなると、Flash ＲＯＭ２１７に格納されている受信可能チャンネル２７０を順次読み出して放送受信部２４０に順次設定することにより、受信可能な受信可能チャンネル２７０を検索し、受信可能な受信可能チャンネル２７０が検索されると、これを放送受信部２４０に設定した状態にする。
【０１２９】
これにより、自動的に最適な放送のチャンネルに切り替わるので、携帯端末２００の利便性を向上させることができる。
【符号の説明】
【０１３０】
１００  放送チャンネル設定システム
２００  携帯端末
２１０  制御部
２１１  ＣＰＵ
２１２  ＲＯＭ
２１３  制御プログラム
２１４  入力制御プログラム
２１５  端末ＩＤ
２１６  ＲＡＭ
２１７  Flash ＲＯＭ
２１８  ユーザ情報
２１９  購買履歴
２２０  ＬＣＤ
２３０  タッチパッド
２４０  放送受信部
２５０  短距離無線通信部
２６０  支払処理プログラム
２７０  受信可能チャンネル
３００  支払処理端末
３１０  制御部
３１１  ＣＰＵ
３１２  ＨＤＤ
３１３  支払処理プログラム
３１４，３１４ａ〜３１４ｃ  放送チャンネル設定情報
３１４１  番組情報
３１４１１  放送局名
３１４１２  番組名
３１４１３  番組内容
３１４１４  対象性別
３１４１５  対象年齢
３１４１６  対象商品
３１４２１  受信周波数
３１４２２  チャンネル番号
３１４２３  有効条件
３１５  ＲＡＭ
３２０  ＬＣＤ
３３０  入力部
３３１  キーボード
３３２  バーコードリーダ
３４０  短距離無線部
３５０  ＬＡＮ
４００  店舗
５００  放送設備
６００  受信可能領域
７００  インターネット
８００  決済処理サーバ
９１０  制御部
９１１  ＣＰＵ
９１２  ＨＤＤ
９１３  運賃決済プログラム
９１４，９１４ａ〜９１４ｃ  放送チャンネル設定情報
９１４１  番組情報
９１４１１  放送局名
９１４１２  番組名
９１４１３  番組内容
９１４１４  対象性別
９１４１５  対象年齢
９１４１６  対象商品
９１４２１  受信周波数
９１４２２  チャンネル番号
９１４２３  有効条件
９１５  ＲＡＭ
９２０  ゲート
９３０  人感センサ
９４０  短距離無線部
９５０  ＬＡＮ
【図１】
2011234109.tif 000003
【図２】
2011234109.tif 000004
【図３】
2011234109.tif 000005
【図４】
2011234109.tif 000006
【図５】
2011234109.tif 000007
【図６】
2011234109.tif 000008
【図７】
2011234109.tif 000009
【図８】
2011234109.tif 000010
【図９】
2011234109.tif 000011
【図１０】
2011234109.tif 000012
【図１１】
2011234109.tif 000013
【図１２】
2011234109.tif 000014
【図１３】
2011234109.tif 000015
【図１４】
2011234109.tif 000016